(57)【要約】【課題】紙箱の外表面と表示板を同時に印刷できる表示板付紙箱および手間を掛けずに簡単に印刷表示できる表示板付紙箱の製造方法を提供する。【解決手段】前面板２の手前に表示板９を備えた表示板付紙箱を展開した形状であるとともに、紙箱１３の外表面２〜５と表示板９、表示板保持体１２の表面とを一体に且つ同一面にして印刷表示した板紙から形成されている表示板付紙箱であって、紙箱１３の前面板の上辺に折り倒し可能に連設されている表示板保持体１２に貼着されているとともに、前面板２の折り戻し動作により前面板２に隣り合う側面板３から切り離された表示板９が、前面板２の手前に表示板保持体１２とともに折り倒されて形成されている表示板付紙箱。【選択図】図２
2006188275.tif 000002
【特許請求の範囲】
【請求項１】
前面板の手前に表示板を備えた表示板付紙箱を展開した形状であるとともに、紙箱の外表面と表示板の表面とを一体に且つ同一面にして印刷表示した板紙から形成されている表示板付紙箱であって、
紙箱の前面板の上辺に折り倒し可能に連設されている表示板保持体に貼着されているとともに、前面板の折り戻し動作により前面板に隣り合う側面板から切り離された表示板が、前面板の手前に表示板保持体とともに折り倒されて形成されていることを特徴とする表示板付紙箱。
【請求項２】
前面板の手前に表示板を備えた紙箱の外表面と表示板の表面とを一体に且つ同一面にした、表示板付紙箱を展開した形状の板紙を用意し、
紙箱の外表面と表示板の表面を同一面にして板紙に印刷表示し、
前面板を前面板に隣り合う側面板側に折り返して前面板の上辺の表示板保持体に、前面板に隣り合う側面板に接続されている表示板を貼着し、
前面板を折り戻して表示板保持体に貼着されている表示板を側面板から切り離し、
貼着された表示板を前面板の手前に表示板保持体とともに折り倒すことを特徴とする表示板付紙箱の製造方法。
【発明の詳細な説明】
【技術分野】
【０００１】
本発明は、食品類などの商品を収納した紙箱の前面に折り返しにより形成された表示板を備える表示板付紙箱およびその製造方法に関する。
【背景技術】
【０００２】
コンビニなどでは、チョコレート、ガムなどの商品は、これらを収納した紙箱を棚において販売している。紙箱には、商品の名前や目に付きやすいように宣伝文句やカット等が印刷表示されている。これらの表示を、紙箱の表面だけでなく、例えば、特許文献１のように紙箱の前面側に表示板を形成したものもあり、この場合、表示板は箱の前面板あるいは後面板の上縁より上に起立している。
【０００３】
図４は表示板を備えた従来の紙箱の一例を示し、（ａ）は箱の展開図で板紙の表側を示し、（ｂ）は板紙の裏側を示し、（ｃ）は箱の使用状態を示す斜視図である。
【０００４】
紙箱１３を展開した板紙１は、前面板２、第１側面板３、後面板４、第２側面板５が点線で示す山折り線６を介して一体に形成され、第２側面板５の一端には、点線で示す山折り線６を介して前面板２に貼着するのり代７が形成される。
【０００５】
前面板２、第１側面板３、後面板４、第２側面板５のそれぞれの下辺には、組立により底面板８を形成する分割された底面板８ａ〜８ｄがそれぞれ山折り線６を介して一体に形成される。
【０００６】
前面板２の上辺には、表示板９が一点鎖線で示す谷折り線１１を介して表示板９が一体に連設されている。前面板２と表示板９には収納した商品が見やすく且つ取り出しやすいように切り欠き１４が形成されている。
【０００７】
次に紙箱の製造方法について説明する。
【０００８】
図４（ａ）に示すように、前面板２、第１側面板３、後面板４、第２側面板５の表側に商品の名前、宣伝文句、カット等が印刷される。さらに第２の印刷工程で、図４（ｂ）に示すように、表示板９の裏面に商品の名前等が印刷される。
【０００９】
次いで、印刷した台紙１の前面板２、第１側面板３、後面板４、第２側面板５を山折り線６に沿って折り曲げて第２側面部５ののり代７を前面板２に貼着し、底面板８ａ〜８ｄを山折り線６に沿って起こして底面板８を形成することにより紙箱１３が形成される。
【００１０】
紙箱１３を棚において商品を展示する際には、表示板９を前面板２から谷折り線１１に沿って表側に折り倒した状態にして裏面の印刷表示面が目にとまり易いようにする。
【特許文献１】特開２００２−１６６９２６号公報
【発明の開示】
【発明が解決しようとする課題】
【００１１】
従来の表示板付きの紙箱では、前面に折り倒す表示板の印刷面と箱の表側の印刷面が表側と裏側の両面にあるため、印刷装置に台紙を二度通して印刷しなければならない。また、印刷しやすくするために、上質紙を使用したり、表面と裏面にコーティング処理したりする必要があった。そのため、従来の表示板付紙箱は、印刷工程が複雑となるとともに、コストがかかるという欠点があった。
【００１２】
また、表示板を箱の上縁に立てた状態となる紙箱では、高さの低い棚の間に配置できない場合がある。また、箱の後面板に表示板が立てられる場合には、棚の奥になるため目に付きにくいという欠点があった。
【００１３】
そこで、本発明は、紙箱の外表面と表示板を同時に印刷できる表示板付紙箱および手間を掛けずに簡単に印刷表示できる表示板付紙箱の製造方法を提供するものである。
【課題を解決するための手段】
【００１４】
本発明の表示板付紙箱は、前面板の手前に表示板を備えた表示板付紙箱を展開した形状であるとともに、紙箱の外表面と表示板の表面とを一体に且つ同一面にして印刷表示した板紙から形成されている表示板付紙箱であって、紙箱の前面板の上辺に折り倒し可能に連設されている表示板保持体に貼着されているとともに、前面板の折り戻し動作により前面板に隣り合う側面板から切り離された表示板が、前面板の手前に表示板保持体とともに折り倒されて形成されていることを特徴とする。
【００１５】
本発明の表示板付紙箱の製造方法は、前面板の手前に表示板を備えた紙箱の外表面と表示板の表面とを一体に且つ同一面にした、表示板付紙箱を展開した形状の板紙を用意し、紙箱の外表面と表示板の表面を同一面にして板紙に印刷表示し、前面板を前面板に隣り合う側面板側に折り返して前面板の上辺の表示板保持体に、前面板に隣り合う側面板に接続されている表示板を貼着し、前面板を折り戻して表示板保持体に貼着されている表示板を側面板から切り離し、貼着された表示板を前面板の手前に表示板保持体とともに折り倒すことを特徴とする。
【発明の効果】
【００１６】
本発明の紙箱の表示板は、紙箱の外表面と同一面の状態で印刷できるため、印刷工程が簡単となる。
【００１７】
また、本発明の表示板付紙箱では、紙箱の表面と表示板の裏面に別々に印刷する従来の紙箱の場合に比べて、裏面にコーティング処理を施す必要がないため、板紙の処理が簡単となる。また、上質紙を使用することなく、再生紙の片面に化粧紙を貼った低廉な板紙を使用することもできるので、コストを低減させることが可能となる。
【００１８】
また、本発明の紙箱は、表示板が下方に傾斜した状態となり、且つ傾斜角度を調節できるので、目線に合わせることが容易になる。
【００１９】
また、本発明の表示板付紙箱は、表示板が下向きに傾斜して前面板の上辺より低い位置にあるため、商品が見やすく、また、表示板を下方に傾斜した状態で紙箱を数段に積み重ねることもできる。
【００２０】
また、板紙を密にして板取りできるので、材料が無駄となる部分を少なくすることができる。
【発明を実施するための最良の形態】
【００２１】
本発明の実施例について図を参照して説明する。
【実施例１】
【００２２】
図１（ａ）は本発明の実施例１の紙箱を展開した板紙の平面図、（ｂ）は同紙箱の斜視図である。
【００２３】
図１（ａ）及び（ｂ）において、表示板付き紙箱１３を展開した台紙１は、前面板２、第１側面板３、後面板４、第２側面板５が点線で示す山折り線６を介して一体に形成され、第２側面板５の一端には、山折り線６を介して前面板２の端に貼着するのり代７が形成される。
【００２４】
なお、必要に応じて、第１側面板３、後面板４あるいは第２側面板５の上辺に蓋や蓋受け（図示せず）を一体に形成してもよい。
【００２５】
前面板２、第１側面板３、後面板４、第２側面板５のそれぞれの下辺には、組立により底面板８を形成する分割された底面板８ａ〜８ｄがそれぞれ山折り線６を介して一体に形成される。
【００２６】
前面板２と隣り合う第１側面板３の上辺には、表示板９が数箇所で接続片１０により接続されている。表示板９は、接続片１０をカットすることにより第１側面板３から容易に切り離しできるようになっている。
【００２７】
前面板２の上辺には一点鎖線で示す谷折り線１１を介して表示板９とほぼ同一形状の表示板保持体１２が一体に連設されている。表示板９は紙箱の組立の際に表示板保持体１２に貼着された後、第２側面板３から切り離される。
【００２８】
図３（ａ）は本発明の板取りを示す図で、本発明では、表示板９を第１側面板３の上辺に接続しているので、図３（ｂ）に示す、従来の裏面に印刷したものと板取は変わらない。
【００２９】
また、表示板付紙箱を裏面印刷せずに組み立てる別の方法として、図３（ｃ）に示すような、表示板９を表示板保持体１２に連接した形が考えられるが、この場合と比較して本発明は台紙の高さが低くなるため密に板取りできるので、無駄になる部分を減らすことができる。
【００３０】
次に本発明による表示板付紙箱の製造方法について説明する。図２は本発明の紙箱の組立手順を示す図である。
【００３１】
前面板２、第１側面板３、後面板４、第２側面板５およびこれらと同一表面の表示板９、表示板保持体１２に商品の名前、宣伝文句、カット等が同時に印刷表示される。本発明では、裏面に印刷する必要がないので、印刷工程が従来の表裏に印刷するのに比べて簡単となる。
【００３２】
次いで、図２（ａ）に示すように、前面板２、第１側面板３、後面板４及び第２側面板５を山折り線６に沿って折り曲げ、第２側面部５ののり代７を前面板２に貼着する。
【００３３】
図１で示す印刷した台紙１の前面板２を山折り線６に沿って第１側面板３側に折り曲げ、図２（ｂ）に示すように、前面板２の上辺の表示板保持体１２と第１側面板３の上辺の表示板９とを貼着する。
【００３４】
表示板保持体１２と表示板９の貼着後、図２（ｃ）に示すように、前面板２を山折り線６に沿って開いて第１側面板３から離す。このとき、表示板９は表示板保持体１２に貼着されているので、表示板９は表示板保持体１２の開きに伴って接続片１０が切れて第１側面板３の上辺から切り離される。
【００３５】
次いで、前面板２、第１側面板３、後面板４及び第２側面板５を山折り線６に沿って広げ、底面板８ａ〜８ｄを山折り線６に沿って起こして底面板８を形成することにより、図２（ｄ）に示すように、紙箱１３が形成される。
【００３６】
商品を展示する際には、図１（ｂ）に示されるように、前面板２の表示板保持体１２とこれに貼着されて保持されている表示板９を手前に引くと、表示板９は谷折り線１１に沿って表側に折り倒されて下方に傾斜した状態となる。表示板９の傾斜角度は、紙箱１３が配置される高さに応じて見やすい角度に折り倒す。表示板９の折り倒しにより前面板２と表示板９に形成された切り欠き１４により紙箱内の商品が見やすくなる。
【図面の簡単な説明】
【００３７】
【図１】（ａ）は本発明の実施例１の紙箱を展開した台紙の平面図、（ｂ）は同紙箱の斜視図である。
【図２】本発明の紙箱の組立手順を示す図である。
【図３】紙箱の板取りを示す図である。
【図４】表示板を備えた従来の箱を示し、（ａ）は箱の表面の展開図、（ｂ）は箱の裏面の展開図、（ｃ）は箱の使用状態を示す斜視図である。
【符号の説明】
【００３８】
１：台紙
２：前面板
３：第１側面板
４：後面板
５：第２側面板
６：山折り線
７：のり代
８：底面板
８ａ〜８ｄ：分割された底面板
９：表示板
１０：接続片 
１１：谷折り線
１２：表示板保持体
１３：紙箱
１４：切り欠き
【図１】
2006188275.tif 000003
【図２】
2006188275.tif 000004
【図３】
2006188275.tif 000005
【図４】
2006188275.tif 000006